(57)【要約】【課題】  電装基板収納ケースのデザイン性が悪くならないように、ケース本体と蓋体との間に蓋体の開操作を規制する構造を備えさせて、蓋体を容易に開けることができない電装基板収納ケースを提供すること。【解決手段】  前面が開口し、内部に電装基板を収容するケース本体と、ケース本体の前面を閉じる蓋体と、を備えた電装基板収納ケースであって、ケース本体は、蓋体を前面と平行にスライド移動させる案内部と、案内部に沿ってスライドさせた蓋体を係止する係止部と、を備え、蓋体は、案内部に沿ってスライドするスライド部と、ケース本体の前面を閉じた状態で係止部と係合する係合部と、を備え、さらに蓋体の内面とケース本体との間で蓋体の開方向へのスライド移動を規制する規制部を備えている。【選択図】  図１
2018147943.tif 000002
【特許請求の範囲】
【請求項１】
前面が開口し、内部に電装基板を収容するケース本体と、前記ケース本体の前面を閉じる蓋体と、を備えた電装基板収納ケースであって、
前記ケース本体は、前記蓋体を前面と平行にスライド移動させる案内部と、前記案内部に沿ってスライドさせた前記蓋体を係止する係止部と、を備え、
前記蓋体は、前記案内部に沿ってスライドするスライド部と、前記ケース本体の前面を閉じた状態で前記係止部と係合する係合部と、を備え、
さらに前記蓋体の内面と前記ケース本体との間で前記蓋体の開方向へのスライド移動を規制する規制部を備えている、
ことを特徴とする電装基板収納ケース。
【請求項２】
前記規制部は、前記ケース本体及び前記蓋体の少なくとも一方に備えられた凹部と、前記蓋体を閉じた状態で前記ケース本体及び前記蓋体の他方における前記凹部に対応する位置に備えられた凸部と、で構成されている、
請求項１に記載の電装基板収納ケース。
【請求項３】
前記凸部は、着脱可能に構成されている、
請求項２に記載の電装基板収納ケース。
【請求項４】
前記凸部は、前記凹部に向けて突出する高さを調節可能に構成されている、
請求項２又は３に記載の電装基板収納ケース。
【請求項５】
前記凸部は、頭部を有するネジ材で構成されている、
請求項２〜４のいずれか１項に記載の電装基板収納ケース。
【請求項６】
前記ネジ材は、前記ケース本体を取付面に固定する固定用ネジ材を兼ねている、
請求項５に記載の電装基板収納ケース。
【発明の詳細な説明】
【技術分野】
【０００１】
本発明は、電装基板を収納するケースに関する。
【背景技術】
【０００２】
従来、種々の電装基板を収納するケースが様々な分野において使用されている。この種のケースは、一般的に、一面が開口した箱状のケース本体と、ケース本体の開口を塞ぐ蓋体とを有している。この種の先行技術として、ブースターや混合機等のアンテナ関連機器に使用するケースがある（例えば、特許文献１参照）。このケースでは、一面が開口した箱状のケース本体と、その開口を開閉するようにケース本体に嵌合させてスライドさせるスライド蓋とを有している。そして、スライド蓋の裏面にスライド方向に複数の突部を設けて、スライド蓋のスライド動作をロックできるようにしている。
【０００３】
また、他の先行技術として、箱型の底蓋（ケース本体）と、底蓋に嵌合する上蓋（蓋体）とを有し、上蓋の側面部にレール部を設け、このレール部が底蓋の底面部を抱き込む状態で上蓋をスライドさせることで底蓋の開口部分を塞ぐようにした電子回路モジュール用のケースがある（例えば、特許文献２参照）。このケースでは、底蓋の側面部と上蓋の側面部との間に上蓋固定手段を設けている。
【先行技術文献】
【特許文献】
【０００４】
【特許文献１】特開昭５８−７９８００号公報
【特許文献２】特開平６−１７７５５３号公報
【発明の概要】
【発明が解決しようとする課題】
【０００５】
ところで、電装基板収納ケースの内部に収納される電装基板には、ＩＣカード（メモリＩＣ内蔵カード）などの基板部品が装着されることがある。そのため、屋内に設置される電装基板収納ケースは、保守点検時には容易に蓋体を取り外せるようにしたい。一方、屋外に設置される電装基板収納ケースは、保守点検などで蓋体を取り外すことに加えて、基板部品の盗難防止構造が必要になることが多い。
【０００６】
しかし、上記した先行技術では、蓋体をケース本体に固定している部分が容易に取り外し可能であり、屋外に設置した場合、蓋体が開けられて基板部品が盗難にあうおそれがある。この対策として、例えば蓋体をケース本体にビスで固定することが考えられる。しかし、屋外に設置される電装基板収納ケースの場合には、デザイン性も重要であるため、盗難防止のためのビスが外面に露出してデザイン性を悪くすることがある。
【０００７】
そこで、本発明は、電装基板収納ケースのデザイン性が悪くならないように、ケース本体と蓋体との間に蓋体の開操作を規制する構造を備えさせて、蓋体を容易に開けることができない電装基板収納ケースを提供することを目的とする。
【課題を解決するための手段】
【０００８】
上記目的を達成するために、本発明は、前面が開口し、内部に電装基板を収容するケース本体と、前記ケース本体の前面を閉じる蓋体と、を備えた電装基板収納ケースであって、前記ケース本体は、前記蓋体を前面と平行にスライド移動させる案内部と、前記案内部に沿ってスライドさせた前記蓋体を係止する係止部と、を備え、前記蓋体は、前記案内部に沿ってスライドするスライド部と、前記ケース本体の前面を閉じた状態で前記係止部と係合する係合部と、を備え、さらに前記蓋体の内面と前記ケース本体との間で前記蓋体の開方向へのスライド移動を規制する規制部を備えている。この明細書及び特許請求の範囲の書類中における「電装基板」は、電子部品を固定した基板、メモリＩＣなどを内蔵したＩＣカードを取り付ける基板などを含む。
【０００９】
この構成により、ケース本体の案内部に沿って蓋体のスライド部をスライドさせ、ケース本体の係止部に蓋体の係合部を係合させることで、蓋体によってケース本体の開口を閉じることができる。そして、蓋体をケース本体に係合させている係合部とは別の位置で、規制部によって蓋体の開方向へのスライドを規制することができるので、蓋体がケース本体に対して容易にスライド移動しないようにできる。しかも、規制部は蓋体の内面とケース本体との間に設けられているので、外面に規制部が露出せず、電装基板収納ケースのデザイン性が悪くなることはない。よって、電装基板収納ケースに、デザイン性を考慮した盗難防止構造を備えさせることができる。
【００１０】
また、前記規制部は、前記ケース本体及び前記蓋体の少なくとも一方に備えられた凹部と、前記蓋体を閉じた状態で前記ケース本体及び前記蓋体の他方における前記凹部に対応する位置に備えられた凸部と、で構成されていてもよい。このように構成すれば、ケース本体の開口部を蓋体で閉じた状態とすることで、凹部と凸部とが嵌合されて蓋体の開方向へのスライド移動を規制する。よって、ケース本体から蓋体が容易に外せないようにする構成を簡単な構造で実現できる。
【００１１】
また、前記凸部は、着脱可能に構成されていてもよい。このように構成すれば、規制部の蓋体を開方向へスライド規制する部分を取り外すことで、規制部による蓋体の開方向へのスライド移動の規制を解除することができる。これにより、蓋体のスライドを規制する必要が無い場合は、容易に蓋体のスライドが規制されないようにできる。よって、盗難防止構造が不要な電装基板収納ケースは、蓋体を容易に取り外せるようにできる。
【００１２】
また、前記凸部は、前記凹部に向けて突出する高さを調節可能に構成されていてもよい。このように構成すれば、凸部の高さを調節することで、規制部の凸部と凹部との嵌合高さが変化し、蓋体のスライド移動を規制する強さを調節することができる。
【００１３】
また、前記凸部は、頭部を有するネジ材で構成されていてもよい。このように構成すれば、規制部における蓋体の開方向へのスライド移動を規制する部分を容易に備えさせることができる。
【００１４】
また、前記ネジ材は、前記ケース本体を取付面に固定する固定用ネジ材を兼ねていてもよい。このように構成すれば、ケース本体を取付面に固定する固定用ネジ材に、ケース本体の固定と、蓋体の開方向へのスライド移動を規制する機能を兼ねさせることができる。
【発明の効果】
【００１５】
本発明によれば、ケース本体に蓋体を装着した状態で、蓋体を規制部によってケース本体から開方向へスライド移動することを規制できるので、蓋体が容易に取り外せないようにすることが可能となる。しかも、規制部はケース本体と蓋体の内面との間に備えられているため、電装基板収納ケースのデザイン性が悪くならない。
【図面の簡単な説明】
【００１６】
【図１】図１は、本発明の一実施形態に係る電装基板収納ケースのケース本体を示す正面図である。
【図２】図２は、図１に示すII−II矢視の断面図である。
【図３】図３は、図１に示すケース本体に取り付ける蓋体の内面図である。
【図４】図４は、図３に示すIV−IV矢視の断面図である。
【図５Ａ】図５Ａは、図１に示すケース本体の開口を図３に示す蓋体で閉じる前の状態を示す一部の背面図である。
【図５Ｂ】図５Ｂは、図１に示すケース本体の開口を図３に示す蓋体で閉じた状態を示す一部の背面図である。
【図６Ａ】図６Ａは、図１に示すケース本体の開口を図３に示す蓋体で閉じる前の状態の電装基板収納ケースの背面図である。
【図６Ｂ】図６Ｂは、図１に示すケース本体の開口を図３に示す蓋体で閉じた状態の電装基板収納ケースの背面図である。
【図７Ａ】図７Ａは、図１に示すケース本体と図３に示す蓋体との間に備えられた規制部の規制前を示す部分断面図である。
【図７Ｂ】図７Ｂは、図７Ａに示す規制部によって蓋体のスライド移動を規制した状態を示す部分断面図である。
【図８】図８は、規制部の第２例を示す部分断面図である。
【図９】図９は、規制部の第３例を示す部分断面図である。
【発明を実施するための形態】
【００１７】
以下、一実施形態を図面に基づいて説明する。以下の実施形態では、正面視で縦長の略矩形の箱状に形成されたケース本体１０と、その前面の開口１３を塞ぐ矩形状の蓋体２０（図３）とを備えた電装基板収納ケース１（図６Ａ）を例に説明する。また、以下の実施形態では、規制部３０が凹部３１と凸部３２とで構成され（図７Ａ）、ケース本体１０に凸部３２が設けられ、蓋体２０の内面２３に凹部３１が設けられた例を主に説明する。この明細書及び特許請求の範囲の書類中における上下左右方向及び前後方向の概念は、図１に示すケース本体１０に向かった状態における上下左右方向及び前後方向の概念と一致するものとする。
【００１８】
（ケース本体の構成）
図１は、一実施形態に係る電装基板収納ケース１のケース本体１０を示す正面図である。図２は、図１に示すII−II矢視の断面図である。この実施形態のケース本体１０は、前面が開口１３となった箱型に形成されている。ケース本体１０の上部は、中央が上向きに突出する山形に形成された係止段部１４となっている。この係止段部１４によって、蓋体２０の上部が係止される（図６Ｂ）。
【００１９】
図２にも示すように、ケース本体１０は、後壁１５の周囲から周壁１５ａが前方へ立設され、周壁１５ａの中央部分における内部空間が電装基板４０を収容する収納部１６となっている。収納部１６には、電装基板４０がビス等（図示略）で取り付けられる。この図の電装基板４０は、ＩＣカード４１とコネクタ４２のみを示している。
【００２０】
この実施形態のケース本体１０は、上部の左右位置の２箇所と下部の中央部分に、固定面（例えば、壁面）に固定用ネジ材（固定用ビス等）３５（図７Ａ）で固定するための長穴１０ａが設けられている。また、ケース本体１０の下部の左右位置には、蓋体２０の下部を係止する係止部１２が設けられている。係止部１２の上方には、左右位置を切り欠いた挿通部１７が設けられている。
【００２１】
図２に示すように、係止部１２は、蓋体２０の係合部２２（図３）が上下方向に移動する案内部１１に設けられている。案内部１１は、ケース本体１０の厚み方向の所定位置に、ケース本体１０の前面と平行な面となっている。この案内部１１は、蓋体２０のスライド部２１（図３）を上下方向に案内する部分となる。案内部１１に、蓋体２０の係合部２２（図３）を係止する係止部１２が設けられている。係止部１２は、案内部１１の範囲内で左右側方に突出するように設けられている。係止部１２から下方に離れた位置には、蓋体２０の下端を左右方向に位置決めする位置決め部１０ｂが設けられている（図６Ｂ）。
【００２２】
そして、係止部１２から離れた位置の左右方向中央部に、ケース本体１０側の規制部３０を構成する凸部３２となる頭部３４を有するネジ材（ビス等）３３（図７Ａ）を固定するネジ座１８が設けられている。ネジ座１８の中央部分には、ネジ材３３をねじ込む中空穴１８ａが設けられている。中空穴１８ａは、貫通する穴でもよい。図２は、ネジ座１８にネジ材３３が取り付けられていない状態を示している。
【００２３】
（蓋体の構成）
図３は、ケース本体１０に取り付ける蓋体２０の内面図である。図４は、図３に示すIV−IV矢視の断面図である。蓋体２０は、ケース本体１０の前面の開口１３を塞ぐ大きさに形成されている。蓋体２０の上部には、上記ケース本体１０の上部に設けられた山形の係止段部１４に係合する係合段部２４が設けられている。係合段部２４は、ケース本体１０の係止段部１４に上方から係合する逆Ｕ字状の断面に形成されている。
【００２４】
蓋体２０の下部の左右位置には、上記ケース本体１０の係止部１２に係止される係合部２２が設けられている。係合部２２は、ケース本体１０の係止部１２に形成された案内部１１に沿って下方へスライドさせるスライド部２１に設けられている。スライド部２１は、ケース本体１０の挿通部１７からケース本体１０の後方に向けて挿入できる大きさに形成されている。
【００２５】
蓋体２０には、左右位置に蓋体２０をケース本体１０に着脱するときの把持部２６が設けられている。把持部２６には、滑り止めの突部が設けられている。
【００２６】
そして、蓋体２０の内面２３には、蓋体２０をケース本体１０に取り付けた状態で（図６Ｂ，図７Ｂ）、ケース本体１０のネジ座１８に固定したネジ材３３の頭部３４の位置に対応する位置に、蓋体２０側の規制部３０を構成する凹部３１が設けられている。凹部３１は、図示する例では円形の凹部３１となっている。凹部３１は、楕円形や溝形にすることもできる。
【００２７】
さらに、この実施形態では、蓋体２０の下端におけるネジ材３３の頭部３４と接する部分に、頭部３４が蓋体２０の内面２３側に入りやすいように逃げ部２５が設けられている（詳細は、図７Ａ）。この実施形態の逃げ部２５は、蓋体２０の下端から所定位置まで斜めに切除されたテーパ状に形成されている（図４）。
【００２８】
（ケース本体と蓋体との取り付け構造）
図５Ａは、ケース本体１０の開口１３（図１）を蓋体２０で閉じる前の状態を示す一部の背面図である。図５Ｂは、ケース本体１０の開口１３（図１）を蓋体２０で閉じた状態を示す一部の背面図である。図６Ａは、ケース本体１０の開口１３を蓋体２０で閉じる前の状態の電装基板収納ケース１の正面図である。図６Ｂは、ケース本体１０の開口１３を蓋体２０で閉じた状態の電装基板収納ケース１の背面図である。
【００２９】
図５Ａ、図６Ａに示すように、ケース本体１０の開口１３を蓋体２０で閉じる場合、ケース本体１０の挿通部１７の位置で蓋体２０のスライド部２１を後方へ挿入する。そして、蓋体２０のスライド部２１をケース本体１０の案内部１１に沿って下方へスライドさせる。なお、ケース本体１０のネジ座１８に取り付けられたネジ材３３の頭部３４と、蓋体２０の内面に設けられた凹部３１との関係は、後述する図７Ａ，図７Ｂにおいて説明する。
【００３０】
図５Ｂ、図６Ｂに示すように、蓋体２０のスライド部２１をケース本体１０の案内部１１に沿って下方へスライドさせることで、蓋体２０の左右方向に設けられた係合部２２がケース本体１０の係止部１２を乗り越えて下端に係止される。この状態では、蓋体２０の下端がケース本体１０の位置決め部１０ｂによって左右方向に位置決めされる。
【００３１】
また、蓋体２０は、スライド部２１をケース本体１０の案内部１１に沿って下方へ移動させて係合部２２をケース本体１０の係止部１２に係止した状態で、ケース本体１０の上部に設けられた係止段部１４に蓋体２０の上部に設けられた係合段部２４が係止される。これにより、蓋体２０は、上部の係合段部２４と下部のスライド部２１及び係合部２２とでケース本体１０に係止されて取り付けられた状態が保たれる。
【００３２】
（規制部の構造）
図７Ａは、ケース本体１０と蓋体２０との間に備えられた規制部３０の規制前を示す部分断面図である。図７Ｂは、図７Ａに示す規制部３０によって蓋体２０のスライド移動を規制した状態を示す部分断面図である。
【００３３】
図７Ａに示す状態は、上記図５Ａに示す状態のときの規制部３０を示している。ケース本体１０には、ネジ座１８に設けられた中空穴１８ａにネジ材３３がねじ込まれている。そして、蓋体２０のスライド部２１がケース本体１０の案内部１１に沿った状態で下方へスライドさせられる。蓋体２０を下方へスライドさせると、蓋体２０の下端がネジ材３３の頭部３４に当接する。蓋体２０の内面２３には逃げ部２５が設けられているため、蓋体２０はネジ材３３の頭部３４に当接した後、頭部３４によって中央部分が徐々に少し前方へ弾性変形させられながら下方へスライドさせられる。
【００３４】
図７Ｂに示す状態は、上記図５Ｂに示す状態のときの規制部３０を示している。蓋体２０が下方へスライドさせられ、係合部２２がケース本体１０の係止部１２に係止される位置で止まる。この状態では、蓋体２０の内面２３に形成された凹部３１が頭部３４の位置に達し、頭部３４が凹部３１に嵌り込む。これにより、蓋体２０は、上部の係合段部２４がケース本体１０の係止段部１４に係止され、下部の係合部２２がケース本体１０の係止部１２に係止されるとともに、離れた位置で蓋体２０の凹部３１がケース本体１０に取り付けられたネジ材３３の頭部３４に係止された状態となる。よって、蓋体２０は、容易に開方向へスライドできないように規制される。
【００３５】
また、凸部３２を構成する頭部３４を有するネジ材３３は、二点鎖線で示すように、ケース本体１０を壁面などの取付面５０に固定する長い固定用ネジ材３５を用いることができる。固定用ネジ材３５を用いることで、ケース本体１０を壁面などに固定する固定用ネジ材３５に規制部３０の凸部３２としての機能を兼ねさせることができる。
【００３６】
上記したような電装基板収納ケース１によれば、蓋体２０をケース本体１０に取り付けることで、凹部３１がネジ材３３の頭部３４に嵌り込み、蓋体２０をケース本体１０から容易に取り外せないようにできる。すなわち、蓋体２０をケース本体１０から取り外すためには、蓋体２０の凹部３１が設けられた部分を頭部３４から外れるように中央部分を前方へ弾性変形させた後にスライドさせる必要があり、容易に取り外せないようにできる。したがって、屋外などに取り付けられる電装基板収納ケース１において、盗難防止のために蓋体２０を取り外し難いようにできる。
【００３７】
また、蓋体２０を取り外し難くするための構成が外面に露出しないため、電装基板収納ケース１のデザイン性が悪くならないので、デザイン性を考慮した盗難防止構造とすることができる。
【００３８】
さらに、盗難防止の対策が不要な電装基板収納ケース１の場合には（例えば、屋内における設置、エンドユーザが蓋体２０を外す場合など）、ケース本体１０にネジ材３３を取り付けないことで蓋体２０を容易に取り外せる構造にできる。
【００３９】
（規制部の変形例）
図８は、規制部３０の第２例を示す部分断面図である。図９は、規制部３０の第３例を示す部分断面図である。いずれの図も、上記した実施形態と同一の構成には同一符号を付して説明する。図８に示すように、規制部３０としては、例えば、ネジ座１８の高さを低くすることで、ネジ材３３のねじ込み量を調節可能とすることができる。このようにすれば、ネジ材３３のねじ込み量で頭部３４の突出量を調節することができる。頭部３４の突出量を調節することで、蓋体２０の凹部３１と嵌合する量を調節することができる。よって、蓋体２０をケース本体１０から取り外すためにスライドさせる力の大きさを調節することができる。このようにすれば、電装基板収納ケース１に応じて蓋体２０を取り外す力を容易に調節することができる。
【００４０】
この例では、ネジ材３３の頭部３４が規制部３０の凸部３２であり、この頭部３４の突出量を調節可能としているが、調節可能な凸部３２としては、ネジ材３３の頭部３４に限られるものではない。
【００４１】
図９に示すように、規制部３０は、蓋体２０の内面２３にネジ座２７を設けてネジ材３３を固定し、ケース本体１０に凹部３１を設けてもよい。このようにしても、蓋体２０をケース本体１０に取り付けることで、蓋体２０のネジ材３３の頭部３４（凸部３２）がケース本体１０の凹部３１に嵌り込み、蓋体２０が容易に取り外せないようにできる。規制部３０を構成する凹部３１と凸部３２となるネジ材３３の頭部３４は、蓋体２０とケース本体１０の一方にいずれか一方を備え、他方に他の一方を備えるようにすればよい。
【００４２】
（変形例）
上記した実施形態では、縦長の矩形状に形成された電装基板収納ケース１を例に説明したが、電装基板収納ケース１の形状は限定されるものではなく、横長の矩形状、正方形状など、上記実施形態以外の形状でもよく、限定されるものではない。
【００４３】
また、上記した実施形態では、規制部３０の凸部３２として着脱可能なネジ材３３の頭部３４を用いる例を説明したが、凸部３２として同様の作用を奏する他の構成（突起部材など）を用いることもでき、規制部３０の構成は上記した実施形態に限定されるものではない。
【００４４】
さらに、上記した実施形態は一例を示しており、本発明の要旨を損なわない範囲での種々の変更は可能であり、本発明は上記した実施形態に限定されるものではない。
【符号の説明】
【００４５】
１  電装基板収納ケース
１０  ケース本体
１１  案内部
１２  係止部
１３  開口
１４  係止段部
１５  周壁
１６  収納部
１７  挿通部
１８  ネジ座
２０  蓋体
２１  スライド部
２２  係合部
２３  内面
２４  係合段部
２５  逃げ部
２６  把持部
３０  規制部
３１  凹部
３２  凸部
３３  ネジ材
３４  頭部
４０  電装基板
４１  ＩＣカード
４２  コネクタ
５０  取付面
【図１】
2018147943.tif 000003
【図２】
2018147943.tif 000004
【図３】
2018147943.tif 000005
【図４】
2018147943.tif 000006
【図５Ａ】
2018147943.tif 000007
【図５Ｂ】
2018147943.tif 000008
【図６Ａ】
2018147943.tif 000009
【図６Ｂ】
2018147943.tif 000010
【図７Ａ】
2018147943.tif 000011
【図７Ｂ】
2018147943.tif 000012
【図８】
2018147943.tif 000013
【図９】
2018147943.tif 000014